(57)【要約】【課題】  必要に応じて交換でき、流用性が高く便利でコスト低下に繋がる交換モジュールの提供。【解決手段】  本発明のコンセントソケットは、ソケットを有するコンセントパネル及び交換モジュールを備える。前記コンセントパネルはソケット部を有し、前記交換モジュールは前記コンセントパネルに着脱可能である。前記交換モジュールは子ソケット部を有する。前記交換モジュールの縁に固定溝を有し、前記固定溝は前記交換モジュール及び前記コンセントパネルの間に位置する。【選択図】図２
2011134716.tif 000002
【特許請求の範囲】
【請求項１】
ソケット部を有するコンセントパネルと、
子ソケット部と、固定溝とを有し、前記コンセントパネルに着脱可能に設けられた交換モジュールとを備え、
前記固定溝は、前記交換モジュールの縁であって、前記交換モジュールと前記コンセントパネルとの間に位置し、前記交換モジュールを前記コンセントパネルに固定するために設けられる
ことを特徴とするコンセントソケット。
【請求項２】
ケーブルと、
接続端子と、を更に備え、
前記ケーブルの一端は、前記交換モジュールと電気的に接続され、他端は前記接続端子と接続され、
前記ケーブルは、選択的に前記コンセントパネルの縁に巻きつけられ、
前記接続端子は、選択的に前記コントロールパネルの縁に設けられる収納部に収納されることを特徴とする請求項１に記載のコンセントソケット。
【請求項３】
前記コンセントパネルの縁には装着部が備えられ、前記交換モジュールの縁には前記装着部と対応するモジュールコネクタが備えられ、前記ケーブルの一端にコネクタが接続され、前記コネクタは前記装着部に収納されるとともに前記モジュールコネクタに挿接されることを特徴とする、請求項２に記載のコンセントソケット。
【請求項４】
前記コンセントパネルの前側に設置される物置板を更に備え、前記物置板は前記コンセントパネルに回動可能に接続されていることを特徴とする、請求項１から３のいずれかに記載のコンセントソケット。
【請求項５】
前記コンセントパネルの後側に設置される収納箱を更に備え、前記収納箱の前側には開口が備えられ、前記収納箱の中には前記物置板が備えられ、前記物置板は前記開口に沿って前後にスライドすることを特徴とする、請求項１から３のいずれかに記載のコンセントソケット。
【請求項６】
前記コンセントパネルの前側には、前記交換モジュールを収納できるモジュール収納部が備えられることを特徴とする、請求項１から３のいずれかに記載のコンセントソケット。
【請求項７】
前記交換モジュールは、前記固定溝の後方に位置する固定穴を更に備え、前記固定穴にネジを通すことで前記コンセントパネルに固定することが可能であることを特徴とする、請求項１から３のいずれかに記載のコンセントソケット。
【請求項８】
ソケット部を有するコンセントパネルに用いられる交換モジュールであって、
当該交換モジュールは、子ソケット部と、固定溝とを備え、前記コンセントパネルに着脱可能に設けられ、
前記固定溝は、前記交換モジュールの縁であって、前記交換モジュールと前記コンセントパネルとの間に位置し、前記交換モジュールを前記コンセントパネルに固定するために設けられることを特徴とする交換モジュール。
【発明の詳細な説明】
【技術分野】
【０００１】
本発明はモジュール構造に関し、より詳しくは、コンセントソケット用の交換モジュール及び交換モジュールを備えるコンセントソケットに関する。
【背景技術】
【０００２】
現在の室内電気設備は、その多くが壁に埋め込まれたコンセントソケットであり、壁に設置されたコンセントソケットにより配電線或いはネットワークケーブルに接続される。電子機器（携帯電話、デジタルカメラ、ＰＤＡやその他携帯デバイス）の充電が必要になった際、或いはネットワークに接続し情報伝達をする必要がある際には、電子機器をコンセント或いはケーブルをコンセントソケットに差し込むことで、配電線或いはネットワークと接続し、充電或いは情報伝達を行うことができる。
【先行技術文献】
【特許文献】
【０００３】
【特許文献１】特開平０７−３２０８２７号公報
【発明の概要】
【発明が解決しようとする課題】
【０００４】
従来のコンセントソケット構造において、そのコンセントパネルは一体型デザインである。コンセントパネル上のソケット及びスイッチの配置については固定されており、必要に応じて変更することができず利便性に欠ける。またソケットの種類やスイッチにより多種の異なるコンセントパネルを作らねばならず、コスト増加に繋がる。本発明の目的は、コンセントソケット用の交換モジュール及び交換モジュールを備えるコンセントソケットを提供することにあり、交換モジュールには流用性があり大変便利で、コスト低下にも繋がる。
【課題を解決するための手段】
【０００５】
上述の目的達成のため、本発明のコンセントソケットは、ソケットを有するコンセントパネルと、前記コンセントパネル上に着脱可能に設置される交換モジュールを備える。前記交換モジュールは、子ソケット部を有する。また、前記交換モジュールは、縁に固定溝を有し、前記固定溝は前記交換モジュール及び前記コンセントパネルの間に位置する。
【発明の効果】
【０００６】
本発明の交換モジュールは種々の子ソケット部を設置することができ、コンセントパネル上に着脱可能であるため、必要に応じて交換モジュールを交換することができる。そのため、流用性に優れると共に大変便利で、コンセントパネルを交換する必要がないため、コスト低下に繋がる。
【０００７】
交換モジュールをコンセントパネルに取り付けた際、任意に取り外すことはできない。したがって、誤って外れてしまうことがなく安全性に優れる。また、交換モジュールの縁に設けられた固定溝は、コンセントパネル及び交換モジュールの間に隠れるように設置されている。工具を固定溝に入れることで交換モジュールを抜き出すことができ、これにより、交換及び修理をすることができる。
【図面の簡単な説明】
【０００８】
【図１】本発明実施例１の交換モジュールを備えるコンセントソケットを示す立体分解図である。
【図２】本発明実施例１の交換モジュールを示す立体図である。
【図３】本発明実施例１の交換モジュールを備えるコンセントソケットを示す立体図である。
【図４】本発明実施例１の交換モジュールを備えるコンセントソケットを示す断面図である。
【図５】本発明実施例１の交換モジュールを備えるコンセントソケットを示す前面図である。
【図６】本発明実施例１の交換モジュールを備えるコンセントソケットの使用を示す説明図である。
【図７】本発明実施例２の交換モジュールを備えるコンセントソケットを示す立体図である。
【図８】本発明実施例３の交換モジュールを備えるコンセントソケットを示す立体図である。
【図９】本発明実施例４の交換モジュールを備えるコンセントソケットを示す立体図である。
【図１０】本発明実施例５の交換モジュールを備えるコンセントソケットを示す立体図である。
【図１１】本発明実施例６の交換モジュールを備えるコンセントソケットを示す立体図である。
【図１２】本発明実施例７の交換モジュールを備えるコンセントソケットを示す立体図である。
【図１３】本発明実施例８の交換モジュールを備えるコンセントソケットを示す立体図である。
【図１４】本発明実施例９の交換モジュールを備えるコンセントソケットを示す立体図である。
【図１５】本発明実施例１０の交換モジュールを備えるコンセントソケットを示す立体図である。
【図１６】本発明実施例１１の交換モジュールを備えるコンセントソケットを示す立体図である。
【図１７】本発明実施例１２の交換モジュールを備えるコンセントソケットを示す立体図である。
【図１８】本発明実施例１３の交換モジュールを備えるコンセントソケットを示す立体図である。
【発明を実施するための形態】
【０００９】
図１から図５は、本発明にかかる実施例１の交換モジュールを備えるコンセントソケットを示す説明図である。
【００１０】
本発明は、コンセントパネル１、物置板２、ケーブル３、接続端子４及び交換モジュール５を備える。
【００１１】
コンセントパネル１は方形であるが、コンセントパネル１の形状及び規格については制限がなく、必要に応じて変更可能である。コンセントパネル１は、単層或いは複層の板で構成されており、コンセントパネル１上には少なくとも１つのソケット部６及び主スイッチ１７が設置される。ソケット部６は、少なくとも１組のソケット穴６１を備える。ソケット部６の規格及び型式には制限が無く、様々なコンセントプラグ用の穴或いは様々な型式のケーブルコネクタが利用可能である。コンセントパネル１は少なくとも１つの嵌め込み部１１（図７に示す）を設置でき、嵌め込み部１１はソケット部６の形にあわせた方形或いはその他の形状の穴を備え、ソケット部６の外縁に接続される。コンセントパネル１は、ネジを利用して壁などに固定或いは嵌め込むことが可能である（図示せず）。
【００１２】
本実施例では、収納箱２０を設置しており、収納箱２０の前側には、開口２０１が備えられる。収納箱２０は、コンセントパネル１の後側に設置され、物置板２は収納箱２０の開口２０１の中に設置され、開口２０１に沿って前後にスライドする。
コンセントパネル１の縁には溝１３が備えられ、溝１３はケーブル３を収納することができるため、ケーブル３をコンセントパネル１の縁に収納することが可能である。溝１３を設置する位置には制限がなく、コンセントパネルの左側、右側、上側或いは下側等任意の場所に設置することができる。コンセントパネル１の縁には溝１３の両端に位置する装着部１４及び収納部１６が更に備えられる。装着部１４及び収納部１６と溝１３は繋がっており、それぞれコネクタ３１及び接続端子４を収納することができる。
【００１３】
ケーブル３は、内部に導体を備え、導体外部を絶縁体で被っている構造のものであるが、ケーブル３の構造及び型式は限定しない。ケーブル３の一端にはコネクタ３１が備えられ、コネクタ３１はＵＳＢコネクタ、ＩＥＥＥ１３９４コネクタ、ＨＤＭＩコネクタ、ＡＶ端子或いはＤＣ端子等のコネクタ類である。また、ケーブル３の一端は、他の型式を利用し交換モジュール５と電気的に接続してもよい。ケーブル３を使用しない場合は、コンセントパネル１の縁にある溝１３内に収納され、使用する場合に溝１３から取り出す。
【００１４】
接続端子４はＵＳＢコネクタ、ＩＥＥＥ１３９４コネクタ、ＨＤＭＩコネクタ、ＡＶ端子或いはＤＣ端子等のコネクタ類である。オス端子或いはメス端子であり、規格及び型式は限定しない。接続端子４はケーブル３の他端に接続され、接続端子４内部には複数の端子（図示せず）を備える。前記端子は導電性材料で製造されており、前記端子はケーブル３内の導体と電気的に接続され、これにより接続端子４はケーブル３と電気的に接続される。
【００１５】
交換モジュール５は、方形或いはその他の形状をした板状であり、交換モジュール５の面積は、コンセントパネル１より小さい。交換モジュール５上には、少なくとも１つの子ソケット部５４及びスイッチ５５が備えられ、子ソケット部５４は、少なくとも１組の子ソケット穴５４１を備える。子ソケット部５４の規格及び型式には制限が無く、コンセントソケット或いはコネクタであればよい。交換モジュール５は、コンセントパネル１上に着脱可能に設けられる。コンセントパネル１の前側には交換モジュール５に対応するモジュール収納部１５が備えられ、交換モジュール５は、モジュール収納部１５の中に収納される。交換モジュール５は、更にネジ５１を利用してコンセントパネル１に固定される。
【００１６】
交換モジュール５の縁には装着部１４に対応したモジュールコネクタ５２が備えられる。モジュールコネクタ５２は、ＵＳＢコネクタ、ＩＥＥＥ１３９４コネクタ、ＨＤＭＩコネクタ、ＡＶ端子或いはＤＣ端子等のコネクタ類である。モジュールコネクタ５２は交換モジュール５及び装着部１４が隣り合う側に設置され、コネクタ３１を装着部１４に収納した際、モジュールコネクタ５２に接続される。これによりケーブル３及び接続端子４はコネクタ３１及びモジュールコネクタ５２を通して交換モジュール５と電気的に接続され、コネクタ３１を装着部１４及びモジュールコネクタ５２に差し込むことで、更にしっかりと固定し、容易に外れることを防止する。
【００１７】
交換モジュール５の縁には固定溝５６（図２に示す）が備えられる。固定溝５６は、好ましくは交換モジュールの上側中央に位置する。交換モジュール５は、固定穴５７を備え、固定溝５６は、固定穴５７の前方に位置する。固定穴５７はネジ５１を通す穴であり、交換モジュール５は、ネジ５１によりコンセントパネル１に固定される。交換モジュール５がモジュール収納部１５に収納された場合、固定溝５６は交換モジュール５及びコンセントパネル１の間に位置し、適度に隠れているため、子供等の目に止まりにくくなっている。
【００１８】
交換モジュール５は、内部に充電回路を備え（図示せず）、充電器として使用できる。交換モジュール５の外側には一つ或いは複数の電気接点５３が備えられ、入力端子となる。コントロールパネル１上の対応する電気接点（図示せず）と接触することで電気的に接続され、交換モジュール５及びコンセントパネル１内部の回路が電気的に接続される。これによりコンセントパネル１の電力或いは信号が交換モジュール５に送信される。モジュールコネクタ５２及び子ソケット部５４は出力端子となる。交換モジュール５は、変圧器、小型ランプ等を更に装着することも可能である。
【００１９】
図１から図６に示すように、使用者は携帯電話等の電子機器７を接続端子４と電気的に接続する場合、先に物置板２を収納箱２０の開口２０１から取り出し、接続端子４を電子機器７に接続することで、電子機器７は、ケーブル３及び接続端子４により充電或いは情報伝達が行われている間、物置板２に安置することが可能である。また、物置板２は、省略してもよく（図８に示す）、その場合、電子機器７は他の場所に置かれる。
【００２０】
本発明のコンセントパネル１は、ケーブル３及び接続端子４をコンセントパネル１上に設置することで、使用者がケーブル３及び接続端子４を使用する場合、ケーブル３及び接続端子４を溝１３及び収納部１６から取り出すだけで使用することが可能であり、ケーブル３及び接続端子４を探す手間が省ける。ケーブル３及び接続端子４を使用しない場合、ケーブル３及び接続端子４を抜かないまま、溝１３及び収納部１６内に収納することが可能であり、遺失の防止となると共に、次に使用する際にも便利である。また、絡まることもコードが干渉し合うこともないままコンセントを利用できる。
【００２１】
図７から図９はそれぞれ本発明の実施例２から４である。ソケット部６及び子ソケット部５４は異なる規格及び型式であり、ソケット部６及び子ソケット部５４はＵＳＢコネクタ、ＩＥＥＥ１３９４コネクタ、ＨＤＭＩコネクタ、ＡＶ端子或いはＤＣ端子等のコネクタ類である。また、コンセントパネル１の底には、２つの第一ヒンジ部１２が備えられ、物置板２には第二ヒンジ部２１が備えられる。物置板２はコンセントパネル１の前側に位置し、第一ヒンジ部１２及び第二ヒンジ部２１が組み合わされることで物置板２はコンセントパネル１に組み合わされ、開閉できるようになる。物置板２が開いた際、物置板２は水平な位置で止まり、電子機器を置くことが可能になる。また、物置板２を閉じるとコンセントパネル１の前側にぴったりと嵌る。
【００２２】
図１０は、本発明にかかる実施例５の交換モジュールを備えるコンセントソケットを示す立体図である。接続端子４は異なる型式のコネクタであり、接続端子４は、変換コネクタ１０を更に備える。変換コネクタ１０の前後にはそれぞれ第一コネクタ１０１及び第二コネクタ１０２が備えられ、変換コネクタ１０の両側には突出部１０３が備えられる。突出部１０３の内側には円柱状の突起である突起１０４が備えられる。突出部１０３は可動式或いは固定式であり、本実施例では固定式である。突出部１０３は変換コネクタ１０の両側に固定されている。可動式である場合は、突出部１０３はヒンジ接続等の方法により変換コネクタ１０の両側に設置され、突出部１０３は可動する。第一コネクタ１０１及び第二コネクタ１０２は、内部に端子を設置する（図示せず）等の方法で電気的に接続される。
【００２３】
接続端子４の両側には凹んだ形状のスライド穴４１が備えられ、変換コネクタ１０の突起１０４を接続端子４のスライド穴４１と組み合わせることで変換コネクタ１０を前後にスライドさせることが可能である。更に、接続端子４を第二コネクタ１０２に接続することで電気的に接続され、変換コネクタ１０をケーブル３及び接続端子４によって電気的に接続することができる。
【００２４】
変換コネクタ１０は、接続端子４にヒンジ接続或いはスライド方式で可動可能な状態に組み合わせられる。変換コネクタ１０を接続端子４に接続することでコネクタの種類を変更することが可能である。変換コネクタ１０を使用しない場合、異なる方向へ動かすことによって接続端子４を露出させればよく、変換コネクタ１０を外す必要はない。
【００２５】
図１１は、本発明にかかる実施例６の交換モジュールを備えるコンセントソケットを示す立体図である。ソケット部６は、異なる規格及び型式である。コンセントパネル１は、嵌め込み部１１を備え、嵌め込み部１１は、ソケット部６の外側に接続される。
【００２６】
図１２は、本発明にかかる実施例７の交換モジュールを備えるコンセントソケットを示す立体図である。本実施例にかかるコンセントソケットは、延長コードを備える。
【００２７】
図１３は、本発明にかかる実施例８の交換モジュールを備えるコンセントソケットを示す立体図である。コンセントパネル１の前側に充電器３０を備える。充電器３０の後側には端子３０１が備えられ、充電器３０の前側にはコネクタ（図示せず）が備えられる。充電器３０を使用する場合、充電器３０をコンセントパネル１にあるソケット部６のソケット穴６１に接続し、充電器３０の端子３０１とソケット部６のソケット穴６１内にある端子（図示せず）と電気的に接続することで電力が充電器３０へと流れ、充電器３０のコネクタに電子機器を充電する機能を提供する。本実施例における充電器３０は、接続部材３０２を備える。接続部材３０２は、伸縮性を持つ部材であり、一端は充電器３０に固定され、他端には軸３０３が形成されており、コンセントパネル１に設置されている軸受１８に組み合わせられる。これによりヒンジ構造となり、充電器３０はコンセントパネル１の横側に設置される。接続部材３０２の構造には制限が無く、充電器３０及びコンセントパネル１が接続できればよい。
【００２８】
図１４は、本発明にかかる実施例９の交換モジュールを備えるコンセントソケットを示す立体図である。コンセントパネル１は、少なくとも１つのスイッチ１９を更に備え、且つ前述の実施例の交換モジュール５からスイッチ５５が除かれている。コンセントパネル１にはネジ穴１ａが備えられ、ネジで壁に固定する際に利用する。
【００２９】
図１５は、本発明にかかる実施例１０の交換モジュールを備えるコンセントソケットを示す立体図である。物置板２、ケーブル３及び接続端子４が除かれている。
【００３０】
図１６は、本発明にかかる実施例１１の交換モジュールを備えるコンセントソケットを示す立体図である。コンセントパネル１及び交換モジュール５の間に少なくとも一つのバネ４０を備え、ネジ５１が外された際にバネ４０が交換モジュール５を押し出すことで取り外しの利便性を高めている。
【００３１】
図１７は、本発明にかかる実施例１２の交換モジュールを備えるコンセントソケットを示す立体図である。交換モジュール５は、直立した形でコンセントパネル１に設けられている。
【００３２】
図１８は、本発明にかかる実施例１３の交換モジュールを備えるコンセントソケットを示す立体図である。本実施例では卓上或いは床に埋め込まれるタイプのコンセントソケットである。
【００３３】
本発明にかかる交換モジュール５は、コンセントパネル１に着脱可能に設けられる。また、交換モジュール５上には異なる子ソケット部５４及びスイッチ５５を設置することができる。これにより、必要に応じて交換モジュール５を交換でき、流用性が高く大変便利である。また、コンセントパネル１を交換する必要がないのでコストの引き下げにも繋がる。
【００３４】
交換モジュール５は、充電器としても使用でき、交換モジュール５が故障或いは交換する必要性が出てきた場合、容易に取り外すことが可能である。交換モジュールは異なるコンセントプラグや無線設備、タイマーや漏電遮断器等、任意の製品と組み合わせることも可能である。
【００３５】
本発明にかかる交換モジュール５の縁にモジュールコネクタ５２を備えることで、コネクタ３１が装着部１４に収納された際、モジュールコネクタ５２に接続される。これにより、コネクタ３１は装着部１４及びモジュールコネクタ５２に同時に接続されることで安定性に優れ、誤って外れる危険性が低くなる。
【００３６】
また、交換モジュール５をコンセントパネル１上に設置することで、ネジ５１を外しても交換モジュール５は簡単に取り外せず、誤って外れてしまう危険性が低くなる。交換モジュール５の縁に備えられる固定溝５６を交換モジュール５及びコンセントパネル１の間に隠れるように設けることで、工具を固定溝５６に入れることで交換モジュールを抜き出すことができ、交換及び修理をすることができる。
【符号の説明】
【００３７】
１    コンセントパネル
１１    嵌め込み部
１２    第一ヒンジ部
１３    溝
１４    装着部
１５    モジュール収納部
１６    収納部
１７    主スイッチ
１８    軸受
１９    スイッチ
１ａ    ネジ穴
２    物置板
２１    第二ヒンジ部
３    ケーブル
３１    コネクタ
４    接続端子
４１    スライド穴
５    交換モジュール
５１    ネジ
５２    モジュールコネクタ
５３    電気接点
５４    子ソケット部
５４１    子ソケット穴
５５    スイッチ
５６    固定溝
５７    固定穴
６    ソケット部
６１    ソケット穴
７    電子機器
１０    変換コネクタ
１０１    第一コネクタ
１０２    第二コネクタ
１０３    突出部
１０４    突起
２０    収納箱
２０１    開口
３０    充電器
３０１    端子
３０２    接続部材
３０３    軸
４０    バネ
【図１】
2011134716.tif 000003
【図２】
2011134716.tif 000004
【図３】
2011134716.tif 000005
【図４】
2011134716.tif 000006
【図５】
2011134716.tif 000007
【図６】
2011134716.tif 000008
【図７】
2011134716.tif 000009
【図８】
2011134716.tif 000010
【図９】
2011134716.tif 000011
【図１０】
2011134716.tif 000012
【図１１】
2011134716.tif 000013
【図１２】
2011134716.tif 000014
【図１３】
2011134716.tif 000015
【図１４】
2011134716.tif 000016
【図１５】
2011134716.tif 000017
【図１６】
2011134716.tif 000018
【図１７】
2011134716.tif 000019
【図１８】
2011134716.tif 000020